(57)【特許請求の範囲】
【請求項１】
商品に付されたコードシンボルを光学的に読み取るコード読取手段と、
前記コード読取手段により読み取ったコードシンボルから得られる商品コードに基づく商取引に係る商品販売データを電子的に記録したジャーナルデータを構成する項目の中から、一商取引を特定可能な項目の所望データを入力するデータ入力手段と、
前記データ入力手段により入力された所望データにより特定されるジャーナルデータを、ジャーナルデータを保持するジャーナルファイルから検索するデータ検索手段と、
前記データ検索手段により検索されたジャーナルデータを出力するデータ出力手段と、
を備え、
前記データ入力手段は、前記コード読取手段からのデータ入力なのか、前記コード読取手段以外の入力部からのデータ入力なのかを、データとして入力された文字列の態様に応じて判断するとともに、前記コード読取手段により読み取ったコードシンボルから得られるコードを、所望のデータとして一商取引を特定可能な項目に対して入力する、
ことを特徴とする商品販売データ処理装置。
【請求項２】
前記データ入力手段は、前記コード読取手段により読み取ったコードシンボルから得られるコードに付された制御コードを取り除く変換処理を実行する、
ことを特徴とする請求項１記載の商品販売データ処理装置。
【請求項３】
前記データ入力手段は、データとして入力された文字列の中に半角のＡ〜Ｚ、半角の０〜９以外の文字が入っていた場合に、前記コード読取手段以外の入力部からのデータ入力と判断する、
ことを特徴とする請求項１または２記載の商品販売データ処理装置。
【請求項４】
前記データ入力手段は、データとして入力された文字列が半角のＡ〜Ｚ、半角の０〜９のみの文字で構成されており、かつ、制御コードを取り除いた結果としてコードが正常である場合に、前記コード読取手段からのデータ入力と判断する、
ことを特徴とする請求項１または２記載の商品販売データ処理装置。
【請求項５】
商品に付されたコードシンボルを光学的に読み取るコード読取手段により読み取ったコードシンボルから得られる商品コードに基づく商取引に係る商品販売データを電子的に記録したジャーナルデータを構成する項目の中から、一商取引を特定可能な項目の所望データを入力するデータ入力手段と、
前記データ入力手段により入力された所望データにより特定されるジャーナルデータを、ジャーナルデータを保持するジャーナルファイルから検索するデータ検索手段と、
前記データ検索手段により検索されたジャーナルデータを出力するデータ出力手段と、
としてコンピュータを実行させ、
前記データ入力手段は、前記コード読取手段からのデータ入力なのか、前記コード読取手段以外の入力部からのデータ入力なのかを、データとして入力された文字列の態様に応じて判断するとともに、前記コード読取手段により読み取ったコードシンボルから得られるコードを、所望のデータとして一商取引を特定可能な項目に対して入力する、
ことを特徴とするプログラム。
【発明の詳細な説明】
【技術分野】
【０００１】
本発明の実施形態は、商品販売データ処理装置およびプログラムに関する。
【背景技術】
【０００２】
近年、ＰＯＳ端末等の商品販売データ処理装置の中には、ＨＤＤ（Hard  Disk  Drive）装置を搭載し、商取引に係わるデータを基に処理される商品販売データや操作の種類を表す操作種類コード等を含むジャーナルデータをＨＤＤ装置の電子ジャーナルファイルに蓄積保存するようにしたものがある。
【０００３】
この種の商品販売データ処理装置は、電子的に保存されたジャーナルデータを表示部に表示させて商取引の履歴を確認したり、レシート用紙に印字させてレシートを再発行させたりできる利点がある。ただしそのためには、電子ジャーナルファイルに保存された全てのジャーナルデータの中から所望するジャーナルデータを検索する必要がある。
【０００４】
そこで従来、取引番号や取引時刻等の取引特定情報が検索条件として入力されると、電子ジャーナルファイルを検索してその取引特定情報によって特定されるジャーナルデータを抽出し、このジャーナルデータを表示部に表示させ、また、レシート用紙に印字出力することを可能にした商品販売データ処理装置がある。
【発明の概要】
【発明が解決しようとする課題】
【０００５】
しかしながら、従来技術においては、取引特定情報等の検索条件の入力については、手入力で行われており、検索条件の入力に時間がかかるという点でさらなる改良が求められていた。
【課題を解決するための手段】
【０００６】
実施形態の商品販売データ処理装置は、商品に付されたコードシンボルを光学的に読み取るコード読取手段と、前記コード読取手段により読み取ったコードシンボルから得られる商品コードに基づく商取引に係る商品販売データを電子的に記録したジャーナルデータを構成する項目の中から、一商取引を特定可能な項目の所望データを入力するデータ入力手段と、前記データ入力手段により入力された所望データにより特定されるジャーナルデータを、ジャーナルデータを保持するジャーナルファイルから検索するデータ検索手段と、前記データ検索手段により検索されたジャーナルデータを出力するデータ出力手段と、を備え、前記データ入力手段は、前記コード読取手段からのデータ入力なのか、前記コード読取手段以外の入力部からのデータ入力なのかを、データとして入力された文字列の態様に応じて判断するとともに、前記コード読取手段により読み取ったコードシンボルから得られるコードを、所望のデータとして一商取引を特定可能な項目に対して入力する。
【０００７】
実施形態のプログラムは、商品に付されたコードシンボルを光学的に読み取るコード読取手段により読み取ったコードシンボルから得られる商品コードに基づく商取引に係る商品販売データを電子的に記録したジャーナルデータを構成する項目の中から、一商取引を特定可能な項目の所望データを入力するデータ入力手段と、前記データ入力手段により入力された所望データにより特定されるジャーナルデータを、ジャーナルデータを保持するジャーナルファイルから検索するデータ検索手段と、前記データ検索手段により検索されたジャーナルデータを出力するデータ出力手段と、としてコンピュータを実行させ、前記データ入力手段は、前記コード読取手段からのデータ入力なのか、前記コード読取手段以外の入力部からのデータ入力なのかを、データとして入力された文字列の態様に応じて判断するとともに、前記コード読取手段により読み取ったコードシンボルから得られるコードを、所望のデータとして一商取引を特定可能な項目に対して入力する。
【図面の簡単な説明】
【０００８】
【図１】図１は、実施形態のＰＯＳ端末の構成を示すブロック図である。
【図２】図２は、電子ジャーナルファイルに保存されるデータのデータ構造の一例を示す模式図である。
【図３】図３は、ジャーナルログ確認処理の流れを概略的に示すフローチャートである。
【図４】図４は、ジャーナルログ確認画面の一例を示す正面図である。
【図５】図５は、検索条件設定処理の流れを概略的に示すフローチャートである。
【発明を実施するための形態】
【０００９】
以下、商品販売データ処理装置の一実施形態を、図面を用いて説明する。本実施形態は、商品販売データ処理装置としてＰＯＳ（Point  Of  Sales）端末を適用したものである。
【００１０】
図１は、実施形態におけるＰＯＳ端末１の構成を示すブロック図である。図１に示すように、ＰＯＳ端末１は、制御部本体としてＣＰＵ（Central  Processing  Unit）１１を備えている。また、ＰＯＳ端末１は、後述するジャーナルログ確認処理プログラムなどのプログラム等及び固定的データが予め格納されたＲＯＭ（Read  Only  Memory）１２、商品販売データの登録処理等で必要な種々のデータメモリエリアが形成されるＲＡＭ（Random  Access  Memory）１３、ＨＤＤ（Hard  Disk  Drive）装置で構成された電子ジャーナルファイル１４、現在の日付及び時刻を計時する時計部１５、ＬＡＮ（Local  Area  Network）等の通信回線を介して接続される上位コンピュータとのデータ通信を司る通信インターフェイス１６を備えている。ＰＯＳ端末１は、ＣＰＵ１１と、ＲＯＭ１２，ＲＡＭ１３，電子ジャーナルファイル１４，時計部１５及び通信インターフェイス１６とを、アドレスバス，データバス等のバスライン１７で接続している。
【００１１】
また、ＰＯＳ端末１は、現金等を収容するためのドロワ１８の他、入出力機器としてキーボード１９，オペレータ用表示器２０，客用表示器２１，レシートプリンタ２２及びスキャナ２３を備えている。ドロワ１８は、Ｉ／Ｏ（Input／Output）ポート２４に接続されており、このＩ／Ｏポート２４から出力される駆動信号に応じて開放動作するようになっている。
【００１２】
キーボード１９は、サインオンを行うための責任者キーの他、テンキー，部門キー，小計キー，預／現計キー，クリアキー，値引キー，割引キー等の商取引に係わるデータ等を入力するための各種キーを配設したもので、入力部として機能する。ＰＯＳ端末１は、キーボード１９に対応してキーボードコントローラ２５を備えており、キー操作に応じてキーボード１９から出力されるキー信号をキーボードコントローラ２５で入力処理するようになっている。
【００１３】
オペレータ用表示器２０は、入力部を介して入力された商取引に係わるデータを基に処理される商品販売データ等を表示するもので、キャッシャと称されるオペレータに対する表示部として機能する。本実施形態では、このオペレータ用表示器２０として、ディスプレイ２０１の画面上にタッチパネルセンサ２０２を配したタッチパネルを使用している。そして、ＰＯＳ端末１は、ディスプレイ２０１に対応して表示コントローラ２６を備えており、表示コントローラ２６によりディスプレイ２０１の画面表示を制御する。また、ＰＯＳ端末１は、タッチパネルセンサ２０２に対応してＩ／Ｏポート２７を備えており、ディスプレイ２０１の画面タッチ操作により変化するタッチパネルセンサ２０２の信号を当該Ｉ／Ｏポート２７に入力するようになっている。
【００１４】
客用表示器２１は、買物客に対して商品販売データ等を表示するものである。ＰＯＳ端末１は、客用表示器２１に対応して表示コントローラ２８を備えており、表示コントローラ２８により客用表示器２１の画面表示を制御する。
【００１５】
レシートプリンタ２２は、商品販売データを含む商取引の明細等をレシート用紙に印字しレシートを発行するものである。ＰＯＳ端末１は、レシートプリンタ２２に対応してプリンタコントローラ２９を備えており、プリンタコントローラ２９によりレシートプリンタ２２の印字動作を制御する。
【００１６】
スキャナ２３は、商品に付されたコードシンボルであるバーコード等を光学的に読み取るコード読取手段であって、キーボード１９と同様に入力部として機能する。ＰＯＳ端末１は、スキャナ２３に対応してスキャナコントローラ３０を備えており、スキャニングされたバーコードデータを当該スキャナコントローラ３０で入力処理するようになっている。
【００１７】
ＰＯＳ端末１は、各Ｉ／Ｏポート２４，２７と各入出力機器のコントローラ２５，２６，２８，２９，３０は、いずれもバスライン１７に接続しており、バスライン１７を介してＣＰＵ１１とデータを授受する。
【００１８】
また、ＰＯＳ端末１は、「登録」，「点検」，「精算」，「設定」等の各種業務モードを選択可能であり、手動操作によりいずれかの業務モードが選択されると、その実行をＣＰＵ１１に指令するモードスイッチ３１を設けている。モードスイッチ３１は、Ｉ／Ｏポート２４に接続されており、Ｉ／Ｏポート２４を介してモードスイッチ３１の信号がＣＰＵ１１に与えられ、ＣＰＵ１１の動作を制御する。
【００１９】
本実施形態では、モードスイッチ３１の操作により、電子ジャーナルファイル１４に保存されたジャーナルデータを確認するためのジャーナルログ確認モードを選択可能とする。
【００２０】
図２は、電子ジャーナルファイル１４に保存されるデータのデータ構造の一例を示す模式図である。図２に示すように、電子ジャーナルファイル１４には、スキャナ２３により読み取ったコードシンボルから得られる商品コードに基づく商取引に係る商品販売データを電子的に記録したジャーナルデータが、１レコード毎に連続番号（以下、レコード番号と称する）ＲＮｏ及び表示ポインタＤＰと対応付けられて保存されている。また、１枚のレシートへの全印字データに相当する１単位分のジャーナルデータや操作の種類を表す操作種類コードと、その次に発生した１単位分のジャーナルデータや操作種類コードとの間に、予め設定された区切マークのデータが挿入されている。
【００２１】
次に、ＰＯＳ端末１におけるジャーナルログ確認処理について説明する。ＰＯＳ端末１のＣＰＵ１１は、ＲＯＭ１２に記憶されたジャーナルログ確認処理プログラムとの協働により各種の機能部（データ入力手段１１１、データ検索手段１１２、データ出力手段１１３等）を実現し、ジャーナルログ確認処理を実行する。
【００２２】
ここで、図３はジャーナルログ確認処理の流れを概略的に示すフローチャートである。この処理は、モードスイッチ３１が切替え操作されてジャーナルログ確認モードが選択されたことに応じて実行される。
【００２３】
先ず、ＣＰＵ１１は、オペレータ用表示器２０（ディスプレイ２０１）に、ジャーナルログ確認画面を表示させる（ステップＳ１）。
【００２４】
図４は、ジャーナルログ確認画面４０の一例を示す正面図である。図４に示すように、ジャーナルログ確認画面４０には、ジャーナルデータを構成する項目の中から一商取引を特定可能な項目の所望データを検索条件として入力する検索条件入力エリア４１と、検索結果を一覧表示する検索結果一覧表示エリア４２と、検索結果一覧表示エリア４２において指定された一の検索結果についてのジャーナルデータを表示するジャーナルデータ表示エリア４３と、が設けられている。
【００２５】
ジャーナルログ確認画面４０の検索条件入力エリア４１には、「当日」「過日」「ＤＶＤ」のいずれかを検索対象として選択させる検索対象選択エリア５１と、検索対象のＰＯＳ端末１に設定されたレジ番号を入力するレジ番号入力エリア５２と、検索対象の商取引が発生した営業日時を入力する検索日時入力エリア５３と、「全取引」「通常」「返品」「レジマイナス」「クレジット」のいずれかを取引条件として選択させる取引条件選択エリア５４と、取引番号を入力する取引番号エリア５５と、責任者番号を入力する責任者番号エリア５６と、検索対象となる文字列を入力する文字列入力エリア５７と、が設けられている。
【００２６】
ジャーナルログ確認画面４０の検索結果一覧表示エリア４２には、検索条件入力エリア４１において入力または設定された検索条件に応じて電子ジャーナルファイル１４に保存されたジャーナルデータを検索した結果が一覧表示される。
【００２７】
ジャーナルログ確認画面４０のジャーナルデータ表示エリア４３には、電子ジャーナルファイル１４に保存されているジャーナルデータが表示されている。ジャーナルデータ表示エリア４３は、複数Ｘ行分のジャーナル１ラインデータを表示可能なサイズが確保されている。
【００２８】
また、図４に示すように、ジャーナルログ確認画面４０には、検索終了を指令する終了ボタン４４と、帳票出力を指示するための帳票出力ボタン４５と、戻るボタン４６と、検索条件入力エリア４１における検索条件の入力の確定を指示するための確定ボタン４７と、が配設されている。
【００２９】
次に、ＣＰＵ１１（データ入力手段１１１）は、ジャーナルログ確認画面４０の検索条件入力エリア４１からの所望のジャーナルデータを検索するための検索条件を設定する検索条件設定処理を実行する（ステップＳ２）。
【００３０】
図５は、検索条件設定処理の流れを概略的に示すフローチャートである。図５に示すように、ＣＰＵ１１（データ入力手段１１１）は、検索条件入力エリア４１に表示された各エリア５１，５２，５３，５４，５５，５６，５７のいずれかにおける検索条件の入力または選択（ステップＳ２１〜２７）、または確定ボタン４７の入力（ステップＳ２８）に待機する。
【００３１】
キーボード１９の操作によって検索対象選択エリア５１において「当日」「過日」「ＤＶＤ」のいずれかが検索対象として選択された場合（ステップＳ２１；Ｙｅｓ）、ＣＰＵ１１は、キーボード１９の操作によって選択されたいずれかの検索対象を検索条件としてＲＡＭ１３に記憶する（ステップＳ２９）。
【００３２】
キーボード１９の操作によってカーソルが位置付けられてレジ番号入力エリア５２がフォーカスされている場合（ステップＳ２２；Ｙｅｓ）、ＣＰＵ１１は、キーボード１９の操作によってレジ番号入力エリア５２に入力されたレジ番号を検索条件としてＲＡＭ１３に記憶する（ステップＳ３０）。
【００３３】
キーボード１９の操作によってカーソルが位置付けられて検索日時入力エリア５３がフォーカスされている場合（ステップＳ２３；Ｙｅｓ）、ＣＰＵ１１は、キーボード１９の操作によって検索日時入力エリア５３に入力された検索日時を検索条件としてＲＡＭ１３に記憶する（ステップＳ３１）。
【００３４】
キーボード１９の操作によって取引条件選択エリア５４において「全取引」「通常」「返品」「レジマイナス」「クレジット」のいずれかが検索対象として選択された場合（ステップＳ２４；Ｙｅｓ）、ＣＰＵ１１は、キーボード１９の操作によって選択されたいずれかの検索対象を検索条件としてＲＡＭ１３に記憶する（ステップＳ３２）。
【００３５】
キーボード１９の操作によってカーソルが位置付けられて取引番号エリア５５がフォーカスされている場合（ステップＳ２５；Ｙｅｓ）、ＣＰＵ１１は、キーボード１９の操作によって取引番号エリア５５に入力された取引番号を検索条件としてＲＡＭ１３に記憶する（ステップＳ３３）。
【００３６】
キーボード１９の操作によってカーソルが位置付けられて責任者番号エリア５６がフォーカスされている場合（ステップＳ２６；Ｙｅｓ）、ＣＰＵ１１は、キーボード１９の操作によって責任者番号エリア５６に入力された責任者番号を検索条件としてＲＡＭ１３に記憶する（ステップＳ３４）。
【００３７】
キーボード１９の操作によってカーソルが位置付けられて文字列入力エリア５７がフォーカスされている場合（ステップＳ２７；Ｙｅｓ）、ＣＰＵ１１は、スキャナ２３からのスキャニングまたはキーボード１９の操作によって文字列入力エリア５７に入力された文字列を検索条件としてＲＡＭ１３に記憶する（ステップＳ３５）。
【００３８】
その後、検索条件入力エリア４１に表示された各エリア５１，５２，５３，５４，５５，５６，５７のいずれかにおける検索条件の入力または選択後（ステップＳ２１〜２７）、キーボード１９の操作によって確定ボタン４７の入力があった場合（ステップＳ２８；Ｙｅｓ）、ＣＰＵ１１は、文字列入力エリア５７に対する文字列の入力があるか否かを判定する（ステップＳ３６）。
【００３９】
文字列入力エリア５７に対する文字列の入力があると判定した場合（ステップＳ３６；Ｙｅｓ）、ＣＰＵ１１は、文字列入力エリア５７の文字列がスキャナ２３から入力された文字列であるか否かを判定する（ステップＳ３７）。
【００４０】
ここで、文字列入力エリア５７の文字列がスキャナ２３から入力された文字列であるか否かの判定手法について説明する。本実施形態においては、文字列入力エリア５７の文字列の中に半角のＡ〜Ｚ、半角の０〜９以外が入っていた場合は、スキャナ２３からの入力以外（すなわち、キーボード１９の操作による入力）と判断する。一方、文字列入力エリア５７の文字列が全て半角のＡ〜Ｚ、半角の０〜９だった場合は、バーコードをスキャンした可能性があるため、入力された文字列をバーコード変換関数に通す。バーコード変換関数は、スキャナ２３からの入力の場合に先頭に付される制御コードを取り除くものである。
【００４１】
このようなバーコード変換関数の変換結果が「正常」だった場合は、スキャナ２３からの入力である、と判定する。一方、バーコード変換関数の変換結果が「異常」の場合は、スキャナ２３からの入力ではない（すなわち、キーボード１９の操作による入力）、と判定する。ここで、バーコード変換関数の変換結果が「異常」の場合とは、未定義コード、Ｃ／Ｄエラー、入力桁数オーバー、などの場合である。
【００４２】
なお、スキャナ２３から入力されるコードとしては、商品に付されたバーコードに含まれる商品コード、社員章に付されたバーコードに含まれる従業員コード等が挙げられる。
【００４３】
文字列入力エリア５７の文字列がスキャナ２３から入力された文字列であると判定した場合（ステップＳ３７；Ｙｅｓ）、ＣＰＵ１１は、文字列入力エリア５７に表示されている文字列をバーコード変換関数の変換結果に変更するとともに（ステップＳ３８）、ＲＡＭ１３に記憶されている文字列をバーコード変換関数の変換結果に変更する（ステップＳ３９）。
【００４４】
一方、文字列入力エリア５７の文字列がスキャナ２３から入力された文字列でないと判定した場合（ステップＳ３７；Ｎｏ）、文字列入力エリア５７に表示されている文字列やＲＡＭ１３に記憶されている文字列はそのままである。
【００４５】
以上の処理により、ステップＳ２におけるジャーナルデータを検索するための検索条件を設定する検索条件設定処理が終了する。
【００４６】
図３に戻り、ＣＰＵ１１（データ検索手段１１２）は、ＲＡＭ１３に記憶されている検索条件に基づいて電子ジャーナルファイル１４に保存されたジャーナルデータを検索し（ステップＳ３）、ＣＰＵ１１（データ出力手段１１３）は、検索したジャーナルデータを検索結果一覧表示エリア４２に表示するとともに（ステップＳ４）、検索結果一覧表示エリア４２において一番上に表示されているジャーナルデータをジャーナルデータ表示エリア４３に表示する（ステップＳ５）。
【００４７】
図４に示す例では、検索対象選択エリア５１で「当日」が選択され、検索日時入力エリア５３で営業日時が指定され、取引条件選択エリア５４で「全取引」が選択された場合において、レジ番号入力エリア５２に「１２３４」というレジ番号と、検索日時入力エリア５３に「２００８／５／１３  １７：２２〜２００８／５／１３  １７：２３」という営業日時とが入力されて検索条件が生成された場合、検索条件と一致するジャーナルデータが電子ジャーナルファイル１４から検索され、その検索されたジャーナルデータが検索結果一覧表示エリア４２に表示される。
【００４８】
続いて、ＣＰＵ１１は、検索結果一覧表示エリア４２に表示されたジャーナルデータから一のジャーナルデータが指定されると（ステップＳ６；Ｙｅｓ）、ステップＳ５に戻り、ジャーナルデータ表示エリア４３に表示されているジャーナルデータを当該指定されたジャーナルデータに変更する。
【００４９】
また、ＣＰＵ１１は、帳票出力ボタン４５が操作されると（ステップＳ７；Ｙｅｓ）、ジャーナルデータ表示エリア４３に表示されているジャーナルデータにかかる帳票出力をレシートプリンタ２２に対して指示する（ステップＳ８）。
【００５０】
さらに、ＣＰＵ１１は、終了ボタン４４が操作されると（ステップＳ９；Ｙｅｓ）、ジャーナルログ確認画面４０を閉じ、この処理を終了する。
【００５１】
このように本実施形態によれば、スキャナ２３により読み取ったコードシンボルから得られる商品コードに基づく商取引に係る商品販売データを電子的に記録したジャーナルデータを構成する項目の中から、一商取引を特定可能な項目の所望データを入力するデータ入力手段は、スキャナ２３により読み取ったコードシンボルから得られるコードを、所望のデータとして一商取引を特定可能な項目に対して入力するようにしたことにより、顧客からの問い合わせ時（電話などで手元にレシートが無い時）、コード入力の手間を省き、確認作業時間を短縮することができるので、ジャーナルログ検索のスピードアップを図ることができるとともに、入力ミスの削減を図ることができる。
【００５２】
なお、本実施形態の携帯端末であるＰＯＳ端末１で実行されるプログラムは、インストール可能な形式又は実行可能な形式のファイルでＣＤ−ＲＯＭ、フレキシブルディスク（ＦＤ）、ＣＤ−Ｒ、ＤＶＤ（Digital  Versatile  Disk）等のコンピュータで読み取り可能な記録媒体に記録して提供するように構成してもよい。
【００５３】
さらに、本実施形態の携帯端末であるＰＯＳ端末１で実行されるプログラムを、インターネット等のネットワークに接続されたコンピュータ上に格納し、ネットワーク経由でダウンロードさせることにより提供するように構成しても良い。また、本実施形態のＰＯＳ端末１で実行されるプログラムをインターネット等のネットワーク経由で提供または配布するように構成しても良い。
【００５４】
本実施形態のＰＯＳ端末１で実行されるプログラムは、上述した各部（データ入力手段１１１、データ検索手段１１２、データ出力手段１１３）を含むモジュール構成となっており、実際のハードウェアとしてはＣＰＵ（プロセッサ）が上記ＲＯＭから制御プログラムを読み出して実行することにより上記各部が主記憶装置上にロードされ、データ入力手段１１１、データ検索手段１１２、データ出力手段１１３が主記憶装置上に生成されるようになっている。
【００５５】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００５６】
１      商品販売データ処理装置
２３    コード読取手段
１１１    データ入力手段
１１２    データ検索手段
１１３    データ出力手段
【先行技術文献】
【特許文献】
【００５７】
【特許文献１】特開２００３−１３２４３４号公報
【図１】
0005502838.tif 000002
【図２】
0005502838.tif 000003
【図３】
0005502838.tif 000004
【図４】
0005502838.tif 000005
【図５】
0005502838.tif 000006